(57)【特許請求の範囲】
【請求項１】
その表面が表皮で覆われたシートバックに凹部を設け、該凹部は、前記シートバックの表面に略平行な収納面とその側方に立ち上がる側面とを有し、該凹部にアームレストを収納できるように構成したアームレスト付シートバックにおいて、前記収納面と前記側面との境界角部に、略直線状に形成した押え部材の側端を当接し、前記境界角部を押えた状態で、上記押え部材を上記凹部に取付けたことを特徴とするアームレスト付シートバック。
【請求項２】
上記押え部材に係合部と係止具を設け、該係合部に係合する係合穴と上記係止具に係合する係止穴とを有するブラケットを上記凹部に設け、上記押え部材の係合部を上記ブラケットの係合穴に係合させ、上記係止具を上記係止穴に係止させることにより、上記押え部材を上記凹部に取付けたことを特徴とする請求項１に記載のアームレスト付シートバック。
【発明の詳細な説明】
【０００１】
【発明の属する技術分野】
本発明は、アームレスト付シートバックに関する。
【０００２】
【従来の技術】
アームレストを備えたリヤシートには、図７に示すように、アームレスト１００の不使用時に該アームレスト１００を折り畳んで収納するための収納部１０１をシートバックの側端に設けるようにしたものがある。この場合、上記アームレスト１００は下端部に設けられたヒンジ１０２を中心として、シートバックに対して回動自在に支持されており、該アームレスト１００を使用するときは前側に倒し、不使用時は上方に起こして上記収納部１０１に収納する。
【０００３】
ここで、該収納部１０１においては、収納面１０３と側面１０４との角部１０５を一直線状になるように形成して外観の向上を図っている。この一直線状のラインを形成するために、従来は、リヤシートバックの内部を図８に示すように構成している。図８は、図７のＢ−Ｂ線による断面図であり、リヤシートバックの形状に加工されたリヤシートバックパッド１０６は、アームレスト１００の収納部１０１となる段部が片側側部に形成されている。このリヤシートバックパッド１０６には、表面を覆うように表皮１０７が配設されており、該表皮１０７の裏面側には、角部１０５に沿ってつり袋１０８が縫いつけてある。また、上記リヤシートバックパッド１０６の内部には、フレーム１０９が配設されており、該フレーム１０９に上記つり袋１０８を複数のリング１１０で係止することによって、リヤシートバックの表面角部１０５に一直線状のラインを形成している。
【０００４】
【発明が解決しようとする課題】
しかしながら、上記従来技術によると、つり袋１０８を表皮１０７に縫いつけ、複数のリング１１０で該つり袋１０８をフレーム１０９に係止しなければならず、上記ラインを形成する作業が複雑で面倒であった。また、リング１１０を多数用いるので、部品点数が多くなり、コストアップの要因となっていた。さらに、つり袋１０８を一直線状に縫いつけることが困難であり、ラインの仕上り品質にバラツキが発生するおそれがあった。
【０００５】
本発明は、上記課題を解決し、アームレスト収納部の角部におけるラインの形成が簡単で、かつ、コストが安価となり、安定した仕上り品質を確保できるアームレスト付シートバックを提供することを目的とする。
【０００６】
【課題を解決するための手段】
本発明は、上記課題を解決するため、その表面が表皮で覆われたシートバックに凹部を設け、該凹部は、前記シートバックの表面に略平行な収納面とその側方に立ち上がる側面とを有し、該凹部にアームレストを収納できるように構成したアームレスト付シートバックにおいて、前記収納面と前記側面との境界角部に、略直線状に形成した押え部材の側端を当接し、前記境界角部を押えた状態で、上記押え部材を上記凹部に取付けたことにある。
また、本発明は、上記押え部材に係合部と係止具を設け、該係合部に係合する係合穴と上記係止具に係合する係止穴とを有するブラケットを上記凹部に設け、上記押え部材の係合部を上記ブラケットの係合穴に係合させ、上記係止具を上記係止穴に係止させることにより、上記押え部材を上記凹部に取付けたことにある。
【０００７】
【発明の実施の形態】
以下に図面を参照しながら、本発明の実施の形態を詳細に説明する。
図１は、本発明に係るアームレスト付シートバックを採用した後部座席を示す斜視図である。この後部座席１においては、乗員が肘を掛けるためのアームレスト２が配設されている。該アームレスト２は、その下端部がヒンジ３でリヤシートバック４に回動自在に支持されており、アームレスト２を使用するときは前側に倒し、不使用時はアームレスト２を上方に起こし、リヤシートバック４の側端に設けられた収納凹部５に収納されてリヤシートバック４と同一面位置となってリヤシートバック４の一部を構成している。この収納凹部５を拡大した斜視図を図２に示し、図２のＡ−Ａ線による断面図を図３に示す。
【０００８】
リヤシートバック４は、該リヤシートバック４の形状に加工されたリヤシートバックパッド６と、該リヤシートバックパッド６の背面に固定されたリヤシートバックパネル７と、上記リヤシートバックパッド６の内部に配設された補強材であるフレーム８とを備えており、上記リヤシートバックパッド６とリヤシートバックパネル７の表面は表皮９によって覆われている。
また、上記アームレスト２の収納凹部５はリヤシートバック４の側端に、収納面１０ａと側面１０ｂによって形成された段部で構成されており、これらの収納面１０ａと側面１０ｂの角部１１に沿ってラインが形成されている。また、リヤシートバックパッド６の内部にはフレーム８が配設されており、該フレーム８にブラケット１２が固定されている。このブラケット１２は、図４に示すように上段に円形の係止穴１３が、中段及び下段に角形の係合穴１４が穿設されており、該係止穴１３及び係合穴１４に対向する表皮９には、これらと略同一形状の穴が穿設されている。
【０００９】
さらに、上記収納凹部５の収納面１０ａに、略長方形に形成された押え部材、例えば押え板１５が配設されている。該押え板１５の上段には、図５に示すように係止具、例えばクリップ１６を挿入するための挿入穴１７が穿設され、中段及び下段には、係合部、例えばツメ１８が押え板１５の裏面に一体成形されている。この挿入穴１７は上記ブラケット１２の係止穴１３の位置に対応しており、ツメ１８，１８は上記ブラケット１２の係合穴１４，１４の位置に対応して形成されている。そして、押え板１５は、上段がクリップ１６によって、中段及び下段がツメ１８によって各々ブラケット１２に固定されている。なお、押え板１５の側端１９は略直線状に形成されているので、この側端１９を上記収納面１０ａと側面１０ｂとの角部１１に当接させることにより、上記ラインが直線状に形成される。
【００１０】
次いで、上記押え板１５を取り付ける作業手順について図６を用いて説明する。
まず、押え板１５の中段及び下段に設けられたツメ１８，１８をブラケット１２の中段及び下段の係合穴１４，１４に掛止させる。次に、押え板１５の上段に設けられた挿入穴１７とブラケット１２の上段の係止穴１３との位置を合わせ、これらの穴１３，１７にクリップ１６を嵌合させることによって、押え板１５を収納部５の収納面１０ａに取り付ける。これにより、押え板１５の側端１９が収納面１０ａと側面１０ｂとの角部１１に当接し、ラインが直線状に形成される。
【００１１】
なお、本発明は、上記の実施の形態に限定されるものではなく、例えば、上記押え板１５の裏面側に設けたツメ１８の数は２個に限らず１個でもよく、クリップ１６で押え板１５の下段を固定し、ツメ１８で上段を固定してもよい。また、押え板１５の形状は、略長方形に限定されず、単なる線状部材でもよい。さらに、押え板１５を収納部５の収納面１０ａでなく側面１０ｂに設けてもよい。
【００１２】
【発明の効果】
上述したように、本発明に係るアームレスト付シートバックによれば、以下のような効果を奏する。
請求項１において、その表面が表皮で覆われたシートバックに凹部を設け、該凹部は、前記シートバックの表面に略平行な収納面とその側方に立ち上がる側面とを有し、該凹部にアームレストを収納できるように構成したアームレスト付シートバックにおいて、前記収納面と前記側面との境界角部に、略直線状に形成した押え部材の側端を当接し、前記境界角部を押えた状態で、上記押え部材を上記凹部に取付けたので、ラインの形成について、部品点数及び加工工数の削減によるコスト低減が図れ、ラインの仕上り品質と外観も向上する。
請求項２において、上記押え部材に係合部と係止具を設け、該係合部に係合する係合穴と上記係止具に係合する係止穴とを有するブラケットを上記凹部に設け、上記押え部材の係合部を上記ブラケットの係合穴に係合させ、上記係止具を上記係止穴に係止させることにより、上記押え部材を上記凹部に取付けたので、押え部材の組付性が向上し、ラインを形成する作業が容易に簡単に、かつ、確実に行える。
【図面の簡単な説明】
【図１】本発明に係るアームレスト付シートバックを備えた後部座席を示す斜視図である。
【図２】図１の要部拡大図である。
【図３】図２のＡ−Ａ線による断面図である。
【図４】本発明に係るブラケットを示す斜視図である。
【図５】本発明に係る押え部材を裏面側から見た斜視図である。
【図６】本発明に係る押え部材を取り付ける状態を示す斜視図である。
【図７】従来のアームレスト収納部を示す斜視図である。
【図８】図７のＢ−Ｂ線による断面図である。
【符号の説明】
１  後部座席
２  アームレスト
３  ヒンジ
４  リヤシートバック
５  収納凹部
６  リヤシートバックパッド
７  リヤシートバックパネル
８  フレーム
９  表皮
１０ａ  収納面
１０ｂ  側面
１１  角部
１２  ブラケット
１３  係止穴
１４  係合穴
１５  押え板
１６  クリップ
１７  挿入穴
１８  ツメ
１９  側端
【図１】
0003780662.tif 000002
【図２】
0003780662.tif 000003
【図３】
0003780662.tif 000004
【図４】
0003780662.tif 000005
【図５】
0003780662.tif 000006
【図６】
0003780662.tif 000007
【図７】
0003780662.tif 000008
【図８】
0003780662.tif 000009